(57)【要約】【課題】  運搬等により振動や衝撃が物品に直接伝わることを防止することにより、例えば苺などの傷みやすいものを包装した物品でも安全に収容できるようにした包装箱と、それを一枚の厚紙で組み立てることができる包装箱用構成シートを提供する。【解決手段】  包装箱用構成シートＳは、一枚の厚紙である段ボールで略矩形状に構成されている。包装箱用構成シートＳは  底板１と、底板１に折目を介して連設された側壁構成板を備えている。底板１には、切込みを入れて形成された一対の切起し物品支持片９，９が折目ｋ，ｋにより起立するように設けられている。側壁構成板は、収容する物品の底部が包装箱の底部内面に接触しないように、切起し物品支持片９と協働して物品の底部を浮かせた状態で支持する物品支持片８Ａ，８Ｂを備えている。【選択図】  図１  
2005170479.tif 000002
【特許請求の範囲】
【請求項１】
物品支持片を含む包装箱を一枚の厚紙で組み立てることができる包装箱用構成シートであって、  
物品支持片(8A)(8B)(9)は、収容する物品の底部が包装箱の底部内面に接触しないように、物品の底部を浮かせた状態で支持できるように構成されていることを特徴とする、
包装箱用構成シート。
【請求項２】
物品支持片を含む包装箱を一枚の厚紙で組み立てることができる包装箱用構成シートであって、  
底板(1)と、底板(1)に折目を介して連設された側壁構成板を備えており、
底板(1)には、切込みを入れて形成された物品支持片(9)が折目により起立するように設けられ、
側壁構成板は、収容する物品の底部が包装箱の底部内面に接触しないように、上記底板(1)に設けられた物品支持片(9)と協働して物品の底部を浮かせた状態で支持する物品支持片(8A)(8B)を備えていることを特徴とする、
包装箱用構成シート。
【請求項３】
切起し物品支持片及び物品支持片を含む包装箱を一枚の厚紙で組み立てることができる包装箱用構成シートであって、  
底板(1)と、底板(1)の対向する二辺に折目(a)(a)を介して連設された一対の外方左右側壁板(2)(2)と、底板(1)の他の対向する二辺に折目(b)(b)を介して連設された一対の外方前後側壁板(3)(3)と、を備えており、
各外方左右側壁板(2)には、折目(c)を介して、額縁板(21)と、該額縁板(21)の両側に位置する頂部縁片(22)(22)がそれぞれ連設され、該頂部縁片(22)には折目(ｅ)を介して額縁板係合用差込み片(5)が連設され、額縁板(21)の先端辺側には折目(d)を介して内方左右側壁板(4)が連設され、
各外方前後側壁板(3)の両端辺側には、折目(f)(f)を介して折返し片(6)(6)がそれぞれ連設され、各外方前後側壁板(3)の先端辺側には、折目(g)を介して額縁板(31)がそれぞれ連設され、該額縁板(31)は上記額縁板係合用差込み片(5)に対応する差込み片用受部(311)(311)を備え、側壁側額縁板(31)の先端辺側には折目(h)を介して内方前後側壁板(7)が連設され、内方前後側壁板(7)は切起し物品支持片用受部(71)(71)を備え、
各内方前後側壁板(7)の両端辺側には、折目(i)(i)を介して物品支持片(8A)(8B)が連設され、該物品支持片(8A)(8B)には底板係合用差込み片(81)が突設され、
底板(1)は、底板係合用差込み片(81)に対応する差込み片用受部(111)と、切込みを入れて形成された一対の切起し物品支持片(9)(9)とを備え、該切起し物品支持片(9)の両端辺側には上記切起し物品支持片用受部(71)と係合する側壁板係合用差込み片(91)(91)が突設され、
包装箱の組み立て後には、収容する物品の底部が包装箱の底部内面に接触しないように、折目により起立した切起し物品支持片(9)(9)と物品支持片(8A)(8B)とが協働して物品の底部を浮かせた状態で支持するように構成されていることを特徴とする、
包装箱用構成シート。
【請求項４】
物品を仕切ることができる仕切り片(10A)(10B)を備えていることを特徴とする、
請求項１，２または３記載の包装箱用構成シート。
【請求項５】
物品支持片(8A)(8B)または折返し片(6)(6)には、物品を仕切ることができる仕切り片(10A)(10B)が切離し線(j)(j)を介して連設され、切起し物品支持片(9)(9)の先端辺側には上記仕切り片(8A)(8B)に対応する仕切り片用受部(92)(92)が設けられていることを特徴とする、
請求項３記載の包装箱用構成シート。
【請求項６】
一枚の厚紙で組み立てられた包装箱であって、  
底部と複数の側壁とからなり、収容する物品の底部が包装箱の底部内面に接触しないように、物品の底部を浮かせた状態で支持できる物品支持片(8A)(8B)(9)を備えていることを特徴とする、
包装箱。
【請求項７】
請求項１，２，３，４または５記載の包装箱用構成シート(S)で組み立てられたことを特徴とする、
包装箱。
【発明の詳細な説明】
【技術分野】
【０００１】
本発明は、包装箱用構成シート及び包装箱に関する。
更に詳しくは、運搬等により振動や衝撃が物品に直接伝わることを防止することにより、例えば苺などの傷みやすいものを包装した物品でも安全に収容できるようにしたものに関する。
また、物品の収容に支障を及ぼすことなく、優れた通気性を備えさせたものに関する。
【背景技術】
【０００２】
例えば苺入りのプラスチック製パック（以下、「苺パック」と略称する）の包装に適したものとして、従来より、特許文献１（図７参照）に記載されたような包装箱が知られている。
【特許文献１】実公昭５８−１６４９４号公報
【０００３】
通常、この種の包装箱は、一枚の段ボールで構成された包装箱用構成シートを、折目に沿って折り曲げることで組み立てることができ、角形の平箱内に苺パックを縦横二列ずつの合計四つ収容できるようにしたものである。また、店頭販売時に外から苺が見えるように、上面が大きく開口している。
【０００４】
更に、包装箱を積み重ねても通気ができるように、通常、側壁部には通気用の孔や切欠部が設けられている（図７に示す切欠部９１を参照）。これにより、出荷前に冷蔵庫内で保管する際に包装箱を積み重ねても、通気用の孔や切欠部から冷気が包装箱内へ流れるようになっている。
【発明の開示】
【発明が解決しようとする課題】
【０００５】
しかしながら、図７に示すような従来の包装箱では次のような課題があった。
即ち、従来の包装箱は、苺パックを単に底板上に載置して収容する構造であった。よって、プラスチック製パックを挟んで絶えず苺が包装箱の底板と接触している状態であるため、運搬等により振動や衝撃が苺に直接伝わりやすく、その結果、苺が早く傷みやすかった。
【０００６】
しかも、通常、苺の出荷は包装箱を多数積み重ねた状態で行うため、包装箱を積み重ねる際や運搬の際などに、どうしても底部側からの振動や衝撃を受けやすく、上記したように苺が早く傷みやすかった。
【０００７】
また上記したように、包装箱を積み重ねても通気ができるように、通常、側壁部には通気用の孔や切欠部が設けてある。しかしながら、側壁部に設けた小さい孔や切欠部だけでは、包装箱を積み重ねて冷蔵庫に保管した際の冷却効率は低く、その分、冷却コストが高くなっていた。よって、側壁部に孔や切欠部を大きく開口させることも考えられるが、包装箱を積み重ねるための物理的強度の関係上、それは困難であった。
【０００８】
そこで、底板に孔や切欠部を大きく開口させることも考えられるが、苺パックを底板上に載置するという構造上、苺パックを支持することができない部分が発生するため、それも困難であった。
【０００９】
（本発明の目的）
そこで本発明の目的は、運搬等により振動や衝撃が物品に直接伝わることを防止することにより、例えば苺などの傷みやすいものを包装した物品でも安全に収容できるようにすることにある。
本発明の他の目的は、物品の収容に支障を及ぼすことなく、優れた通気性を備えさせることにある。
【課題を解決するための手段】
【００１０】
上記目的を達成するために講じた本発明の手段は次のとおりである。
【００１１】
第１の発明にあっては、
物品支持片を含む包装箱を一枚の厚紙で組み立てることができる包装箱用構成シートであって、  
物品支持片は、収容する物品の底部が包装箱の底部内面に接触しないように、物品の底部を浮かせた状態で支持できるように構成されていることを特徴とする、
包装箱用構成シートである。
【００１２】
第２の発明にあっては、
物品支持片を含む包装箱を一枚の厚紙で組み立てることができる包装箱用構成シートであって、  
底板と、底板に折目を介して連設された側壁構成板を備えており、
底板には、切込みを入れて形成された物品支持片が折目により起立するように設けられ、
側壁構成板は、収容する物品の底部が包装箱の底部内面に接触しないように、上記底板に設けられた物品支持片と協働して物品の底部を浮かせた状態で支持する物品支持片を備えていることを特徴とする、
包装箱用構成シートである。
【００１３】
第３の発明にあっては、
切起し物品支持片及び物品支持片を含む包装箱を一枚の厚紙で組み立てることができる包装箱用構成シートであって、  
底板と、底板の対向する二辺に折目を介して連設された一対の外方左右側壁板と、底板の他の対向する二辺に折目を介して連設された一対の外方前後側壁板と、を備えており、
各外方左右側壁板には、折目を介して、額縁板と、該額縁板の両側に位置する頂部縁片がそれぞれ連設され、該頂部縁片には折目を介して額縁板係合用差込み片が連設され、額縁板の先端辺側には折目を介して内方左右側壁板が連設され、
各外方前後側壁板の両端辺側には、折目を介して折返し片がそれぞれ連設され、各外方前後側壁板の先端辺側には、折目を介して額縁板がそれぞれ連設され、該額縁板は上記額縁板係合用差込み片に対応する差込み片用受部を備え、側壁側額縁板の先端辺側には折目を介して内方前後側壁板が連設され、内方前後側壁板は切起し物品支持片用受部を備え、
各内方前後側壁板の両端辺側には、折目を介して物品支持片が連設され、該物品支持片には底板係合用差込み片が突設され、
底板は、底板係合用差込み片に対応する差込み片用受部と、切込みを入れて形成された一対の切起し物品支持片とを備え、該切起し物品支持片の両端辺側には上記切起し物品支持片用受部と係合する側壁板係合用差込み片が突設され、
包装箱の組み立て後には、収容する物品の底部が包装箱の底部内面に接触しないように、折目により起立した切起し物品支持片と物品支持片とが協働して物品の底部を浮かせた状態で支持するように構成されていることを特徴とする、
包装箱用構成シートである。
【００１４】
第４の発明にあっては、
物品を仕切ることができる仕切り片を備えていることを特徴とする、
第１，２または第３の発明に係る包装箱用構成シートである。
【００１５】
第５の発明にあっては、
物品支持片または折返し片には、物品を仕切ることができる仕切り片が切離し線を介して連設され、切起し物品支持片の先端辺側には上記仕切り片に対応する仕切り片用受部が設けられていることを特徴とする、
第３の発明に係る包装箱用構成シートである。
【００１６】
第６の発明にあっては、
一枚の厚紙で組み立てられた包装箱であって、  
底部と複数の側壁とからなり、収容する物品の底部が包装箱の底部内面に接触しないように、物品の底部を浮かせた状態で支持できる物品支持片を備えていることを特徴とする、
包装箱である。
【００１７】
第７の発明にあっては、
第１，２，３，４または第５の発明に係る包装箱用構成シートで組み立てられたことを特徴とする、
包装箱である。
【００１８】
本発明に係る包装箱は、収容対象である物品の種類を特に限定するものではないが、苺やブドウ等の果物や鶏卵等を含む農産物、陶器や磁器等の焼物類、あるいは精密電子部品や電気器具等といった外部からの振動や衝撃から保護して収容すべき物品の包装に好適に使用できる。
【００１９】
本明細書及び特許請求の範囲で使用している「厚紙」の用語は、段ボールを含む広い概念として使用している。
【００２０】
物品支持片については、収容する物品の底部が包装箱の底部内面に接触しないように、物品の底部を浮かせた状態で支持できるものであれば、包装箱用構成シートに占める位置や形状、あるいはその大きさを特に限定するものではない。
例えば物品支持片を折り曲げて起立できるように底板に切込みを入れて構成したり、側壁構成板の一部を折り曲げることで構成したり、包装箱用構成シートの一部を切り離して底板や側壁等に取り付けて構成したり、あるいはそれらの組み合わせ等で構成することができる。
【００２１】
（作  用）
（ａ）包装箱用構成シートは次のように作用する。
即ち、包装箱用構成シートを折り曲げ、包装箱を組み立てる。収容対象である物品を物品支持片で支持させ、収容する。物品支持片により、物品は底部を浮かせた状態で支持されるので、物品の底部は包装箱の底部内面に接触しない。したがって、運搬等による振動や衝撃が包装箱の底部から物品に直接伝わりにくい。よって、本発明によれば、例えば苺などの傷みやすいものを収容した物品でも安全に包装することができる。
【００２２】
（ｂ）底板に切込みを入れて形成された物品支持片（切起し物品支持片）と、該物品支持片と協働して物品の底部を浮かせた状態で支持する物品支持片を備えているものは、次のように作用する。
包装箱を組み立てる際に、底板に設けてある物品支持片を折目により起立させる。そして、収容対象である物品を底板に設けてある物品支持片と他方の物品支持片とで協働して支持させ、収容する。物品支持片により、物品は底部を浮かせた状態で支持されるので、上記したように物品の底部は包装箱の底部内面に接触しない。
更に、底板に設けてある物品支持片を起立させることにより、包装箱の底部には開口部を形成される。この開口部により、包装箱を積み重ねた際の包装箱同士間の通気性が確保される。しかも、物品は底部を浮かせた状態で支持されるので、包装箱の底部に開口部が形成されても、物品の収容に支障はない。
【００２３】
（ｃ）底板、外方左右側壁板及び外方前後側壁板等を備えた包装箱用構成シートの作用を、包装箱の組み立て手順を示しながら説明する。
なお、包装箱の組み立て手順の理解を助けるため、実施例を説明するために添付した図面に使用した符号を括弧を用いて記載している。
【００２４】
１．折目(b)を境に底板(1)から外方前後側壁板(3)を折って立てた後、折目(g)を境に額縁板(31)を水平状態に折り曲げ、更に折目(h)を境に内方前後側壁板(7)を内方に折り曲げる。
【００２５】
２．折返し片(6)(6)と物品支持片(8A)(8B)を内方に折り返し、物品支持片(8A)(8B)に突設された底板係合用差込み片(81)(81)を、底板(1)に設けてある差込片用受部(111)(111)に差し込み、固定する。これにより、外方前後側壁板(3)と内方前後側壁板(7)からなる二重構造の側壁(100)を、底板(1)の対向する二辺側に構成する。
【００２６】
３．折目(a)を境に外方左右側壁板(2)を折って立てた後、折目(c)を境に額縁板(21)を水平状態に折り曲げる。更に折目(d)を境に内方左右側壁板(4)を内方に折り曲げ、内方左右側壁板(4)を上記物品支持片(8A)(8B)と折返し片(6)(6)の間に差し入れる。また更に、折目(e)(e)を境に額縁板係合用差込片(5)(5)を折り曲げ、額縁板係合用差込片(5)(5)を上記額縁板(31)に設けてある差込片用受部(311)(311)に差し込み、固定する。これにより、物品支持片(8A)(8B)と内方左右側壁板(4)(4)と折返し片(6)(6)からなる三重構造の側壁(200)を、底板(1)の他の対向する二辺側に構成する。
【００２７】
４．底板(1)に設けてある一対の切起し物品支持片(9)(9)を、折目(k)(k)を境に折り曲げて起立させ、側壁板係合用差込み片(91)(91)を内方前後側壁板(7)に設けてある切起し物品支持片用受部(71)(71)に差し込んで固定し、包装箱の組み立てを完了する。
【００２８】
（ｄ）物品支持片(8A)(8B)または折返し片(6)(6)には、物品を仕切ることができる仕切り片(10A)(10B)が切離し線(j)(j)を介して連設され、切起し物品支持片(9)(9)の先端辺側には上記仕切り片(10A)(10B)に対応する仕切り片用受部(92)(92)が設けられているものは、以下のようにして包装箱を組み立てる。
即ち、包装箱の組み立てに際し、予め切離し線(j)(j)に沿って物品支持片(8A)(8B)または折返し片(6)(6)から仕切り片(10A)(10B)を切り離しておく。次いで、上記した同様の手順で側壁(100)(200)を構成した後、予め切り離しておいた仕切片(10A)(10B)を、切起し物品支持片(9)(9)の仕切り片用受部(92)(92)に係合させて仕切体(300)を構成し、包装箱の組み立てを完了する。収容対象である複数の物品を物品支持片で支持させて収容すると共に、仕切体(300)によって物品を区画して物品が相互に接触し傷つくことを防止する。
【発明の効果】
【００２９】
本発明は上記構成を備え、次の効果を有する。
（ａ）本発明によれば、一枚の厚紙により物品支持片を含む包装箱を容易に且つ迅速に組み立てることができる。
更に、物品支持片は、収容する物品の底部が包装箱の底部内面に接触しないように、物品の底部を浮かせた状態で支持できるように構成されているので、物品を物品支持片で支持させることにより、物品の底部は包装箱の底部内面に接触しない。したがって、運搬等による振動や衝撃が包装箱の底部から物品に直接伝わりにくい。よって、本発明によれば、例えば苺などの傷みやすいものを収容した物品でも安全に包装することができる。
【００３０】
（ｂ）底板に切込みを入れて形成された物品支持片（切起し物品支持片）と、該物品支持片と協働して物品の底部を浮かせた状態で支持する物品支持片を備えているものは、底板に設けてある物品支持片を折目により起立させれば、包装箱の底部には開口部が形成される。したがって、この開口部により、包装箱を積み重ねた際の包装箱同士間の通気性が確保されるので、包装箱を積み重ねて冷蔵庫に保管した際の冷却効率は高い。しかも、底板に直接載置して収容するようにした従来の包装箱と相違して、本発明では物品は底部を浮かせた状態で支持されるので、包装箱の底部に開口部が形成されても、物品の収容に支障はない。
【００３１】
（ｃ）物品を仕切ることができる仕切り片を備えているものは、仕切片で物品を区画することができるので、運搬時等に例えば物品である苺パック等が相互に接触して中の苺が傷つくことを防止できる。また、包装箱を積み重ねた場合には、この仕切片によって積み重ねた上方の包装箱の底部を支持させるようにすれば、上方の包装箱によって下方の物品が押し潰されることを防止できる。
【発明を実施するための最良の形態】
【００３２】
本発明を図面に示した実施例に基づき更に詳細に説明する。
【実施例】
【００３３】
図１は、本発明に係る包装箱用構成シートの一実施例を示す平面視説明図である。
なお、包装箱用構成シートの構成部の説明において、図１の上下方向を前後方向として説明している。
【００３４】
包装箱用構成シートＳは、一枚の厚紙である段ボールで略矩形状に構成され、折目に沿って折り曲げることで包装箱（後述の図５参照）を組み立てることができる。なお、本実施例に係る包装箱用構成シートＳでは、苺パックを縦横二列ずつの合計四つ収容できるように設計されている。
【００３５】
包装箱用構成シートＳは、その中央に長方形に形成された底板１と、底板１の周りに折目ａ，ａ，ｂ，ｂを介して連設された側壁構成板（符号省略）を備えている。側壁構成板は、主に後述する外方左右側壁板２、外方前後側壁板３、内方左右側壁板４、折返し片６、内方前後側壁板７、物品支持片８Ａ，８Ｂによって構成される。なお、包装箱用構成シートＳは、後述する仕切片１０Ａ，１０Ｂを除き、底板１の対角線の交点に関して点対称な形状となっている。
【００３６】
以下、包装箱用構成シートＳの各構成部について、順を追って詳しく説明する。
底板１の対向する二辺（図１で左右短辺側）には、折目ａ，ａを介して一対の外方左右側壁板２，２が連設されている。底板１の他の対向する二辺（図１で上下長辺側）には、折目ｂ，ｂを介して一対の外方前後側壁板３，３が連設されている。
【００３７】
各外方左右側壁板２には、折目ｃを介して、額縁板２１と、額縁板２１の両側に位置する頂部縁片２２，２２がそれぞれ連設されている。各頂部縁片２２には折目ｅを介して額縁板係合用差込片５が連設されている。各額縁板２１の先端辺側には、折目ｄを介して内方左右側壁板４が連設されている。
【００３８】
各外方前後側壁板３の両端辺側には、折目ｆ，ｆを介して折返し片６，６がそれぞれ連設されている。各外方前後側壁板３の先端辺側には、折目ｇを介して額縁板３１がそれぞれ連設されている。額縁板３１の両端側の所要の位置には、上記した額縁板係合用差込片５，５に対応する差込片用受部である受孔３１１，３１１が形成されている。各受孔３１１の縁部には、額縁板係合用差込片５を差し込みやすいように切込部３１２が形成されている。
【００３９】
各額縁板３１の先端辺側には、折目ｈを介して内方前後側壁板７が連設されている。内方前後側壁板７の長手方向の長さは、外方前後側壁板３のそれよりも短くなっている。内方前後側壁板７のほぼ中央には、切起し物品支持片用受部７１が所要の間隔をおいて二箇所設けてある。
【００４０】
各内方前後側壁板７の所要の位置には、通気孔７２が所要数（本実施例では二箇所）設けてある。上記した各外方前後側壁板３の所要の位置にも、同様に通気孔３２が所要数（本実施例では二箇所）設けてある。底板１に対して外方前後側壁板３と内方前後側壁板７を折り曲げて側壁を構成した際に、通気孔３２と通気孔７２は貫通するように対向して位置する。
【００４１】
額縁板３１には、外方前後側壁板３及び内方前後側壁板７に跨って通気孔３３が形成されている。
【００４２】
各内方前後側壁板７の両端辺側には、折目ｉ，ｉを介して物品支持片８Ａ，８Ｂがそれぞれ連設されている。各物品支持片８Ａ，８Ｂの外方の角部分には、底板係合用差込片８１がそれぞれ突設されている。
【００４３】
図１で上方右端側の物品支持片８Ａには、切離し線ｊを介して仕切片１０Ａが連設されている。図１で下方左端側の物品支持片８Ａには、切離し線ｊを介して仕切片１０Ｂが連設されている。
【００４４】
他方、仕切片１０Ａ，１０Ｂが連設されていない物品支持片８Ｂ，８Ｂの長手方向の長さは、物品支持片８Ａ，８Ａの長手方向の長さよりも長く、物品支持片８Ａと物品支持片８Ｂを足した長手方向の長さは、底板１の短辺部の長さと同じか大体同じになっている。
【００４５】
仕切片１０Ａ，１０Ｂには、切込みによって形成された係合部１０１がそれぞれ形成されている。係合部１０１，１０１を相互に嵌め合うことで、仕切片１０Ａ，１０Ｂを十字状に組み合わせ、後述する仕切体３００（後述の図５参照）を構成することができる。一方の仕切片１０Ｂには、切込みで形成された係合部１０２が二箇所に設けてある。係合部１０２は、後述する切起し物品支持片９，９の仕切片用受部９２，９２に嵌め込んで起立させるためのものである。      
【００４６】
底板１のほぼ中央側には、折目ａ，ａと平行して設けられた折目ｋ，ｋにより起立する一対の切起し物品支持片９，９を備えている。符号９４は、切起し物品支持片９を折目ｋに沿って折り曲げやすくした切込部を示している。
【００４７】
切起し物品支持片９，９は、底板１の短辺部のほぼ全長にわたって形成されている。切起し物品支持片９の短辺方向の長さ（起立させた際の高さ）は、上記した物品支持片８Ａ，８Ｂの短辺方向の長さと本質的に同じである。そして、切起し物品支持片９及び物品支持片８Ａ，８Ｂの短辺方向の長さ（組み立て後の高さ）は、収容対象である苺パックの高さ方向の長さよりも長くなっている。
【００４８】
切り起し片９の両端辺側には、上記した内方前後側壁板７に設けてある切起し物品支持片用受部７１，７１と係合する側壁板係合用差込片９１，９１が突設されている。切起し物品支持片９，９の先端辺側の長手方向のほぼ中間部には、上記仕切片１０Ｂに対応する仕切片用受部９２，９２が設けられている。仕切片用受部９２，９２は、切込部によって形成されている。仕切片用受部９２，９２の近傍には、指掛け孔９３，９３が形成されている。
【００４９】
底板１の短辺部寄り（図１で左右両端寄り）には、上記した物品支持片８Ａの底板係合用差込片８１に対応する差込片用受部である長孔状の受孔１１１，１１１が形成されている。
【００５０】
なお、図１で上部側の内方前後側壁板７において、左端側の物品支持片８Ｂの位置を、右端側の物品支持片８Ａ及び仕切片１０Ａと入れ替えても良い。その場合は、図１で下部側の内方前後側壁板７における左端側の物品支持片８Ａ及び仕切片１０Ｂの位置を、右端側の物品支持片８Ｂと入れ替える。
【００５１】
また仕切片１０Ａ，１０Ｂは、物品支持片８Ａではなく、折返し片６に連設して設けることもできる。その場合は、包装箱用構成シートＳ全体が略矩形状になるように、折返し片６の長手方向の長さをやや短く形成することが望ましい。なお、折返し片６に限らず、その他の構成部に仕切片１０Ａ，１０Ｂを連設することもできる。
【００５２】
（作  用）
図２ないし図４は、図１に示す包装箱用構成シートを用いた包装箱の組み立て手順を説明する斜視図、図５は組み立て完了後の包装箱を示す斜視説明図である。
図１ないし図５を参照して、包装箱用構成シートＳを用いた包装箱の組み立て手順を説明する。
【００５３】
（１）まず図２に示すように、包装箱の組み立てに際し、予め切離し線ｊ，ｊに沿って物品支持片８Ａ，８Ａから仕切片１０Ａ，１０Ｂを切り離しておく。
【００５４】
（２）折目ｂを境に、底板１から外方前後側壁板３を折って立てた後、折目ｇを境に額縁板３１を水平状態に折り曲げ、更に折目ｈを境に内方前後側壁板７を内方に折り曲げる。
【００５５】
（３）折返し片６，６と物品支持片８Ａ，８Ｂを内方にほぼ直角に折り返す。そして、物品支持片８Ａ，８Ｂに突設された底板係合用差込片８１，８１を、底板１の差込片用受部１１１，１１１に差し込み、固定する。これにより、外方前後側壁板３と内方前後側壁板７からなる二重構造の側壁１００を、底板１の対向する二辺側（長辺側）に構成する。
【００５６】
（４）図２に示す折目ａを境に、図３に示すように外方左右側壁板２を折って立てた後、折目ｃを境に額縁板２１を水平状態に折り曲げる。更に、折目ｄを境に内方左右側壁板４を内方に折り曲げ、図４に示すように、内方左右側壁板４を物品支持片８Ａ，８Ｂと折返し片６，６（図４では隠れて見えず、図３参照）の間に差し入れる。また更に、図４に示すように、折目ｅ，ｅを境に額縁板係合用差込片５，５をほぼ直角に折り曲げ、額縁板係合用差込片５，５を額縁板３１，３１に設けてある差込片用受部３１１，３１１に差し込み、固定する。これにより、物品支持片８Ａ，８Ｂと内方左右側壁板４と折返し片６，６からなる三重構造の側壁２００を、底板１の対向する他の二辺側（左右短辺側）に構成する。
【００５７】
（５）図３に示す指掛け孔９３，９３に指を入れ、図４に示すように、一対の切起し物品支持片９，９を、折目ｋ，ｋを境に折り曲げて起立させ、両端部の側壁板係合用差込片９１，９１を内方前後側壁板７に設けてある切起し物品支持片用受部７１，７１に差し込んで固定する。切起し物品支持片９，９を起立させることにより、包装箱の底部には開口部４００，４００（一方の開口部４００は隠れて見えず）が形成される。
【００５８】
（６）図４に示すように、予め切り離しておいた仕切片１０Ａ，１０Ｂの係合部１０１，１０１を相互に嵌め合い、十字状に組み合わせる。そして、図５に示すように、仕切片８Ｂの係合部１０２，１０２を切起し物品支持片９，９の仕切片用受部９２，９２に嵌め入れ、包装箱のほぼ中央部分に仕切体３００を構成し、包装箱の組み立てを完了する。なお、仕切体３００（仕切片１０Ａ）の頂部は、側壁１００，２００と本質的に同じ高さに設計されている。
【００５９】
図６は、苺パックを収容した包装箱の一部を断面して内部構造を表した側面視説明図である。
苺パックＰは、以下のようにして包装箱に収容する。
即ち、図６に示すように、向かい合う切起し物品支持片９と物品支持片８Ａ，８Ｂ（図６では物品支持片８Ｂは表れない）の上端部に、苺パックＰの短辺側の両縁部５０１，５０１をそれぞれ上方から引っ掛ける。このようにして、苺パックＰを切起し物品支持片９と物品支持片８Ａ，８Ｂとで協働して支持させ、仕切体３００を中心に苺パックＰを縦横二列ずつの合計四つ収容する。
【００６０】
切起し物品支持片９，９及び物品支持片８Ａ，８Ｂの高さは、苺パックＰの高さよりも高くなっているので、切起し物品支持片９と物品支持片８Ａにより、苺パックＰの底部５００を包装箱の底部内面１１２から浮かせた状態で苺パックＰを支持できる。したがって、苺パックＰの底部５００は包装箱の底部内面１１２に接触せず、運搬等による振動や衝撃が包装箱の底部から苺パックＰに直接伝わりにくい。よって、振動や衝撃によって苺が早く傷むことを防止できる。
【００６１】
上記したように、切起し物品支持片９，９を起立させることにより、包装箱の底部には開口部４００，４００が形成される。この開口部４００，４００により、包装箱を積み重ねた際の包装箱同士間の通気性が確保されるので、包装箱を積み重ねて冷蔵庫に保管した際の冷却効率は高い。しかも、底板に直接載置して収容するようにした従来の包装箱と相違して、本実施例では苺パックＰは底部５００を浮かせた状態で支持されるので、包装箱の底部に開口部４００が形成されても、物品の収容に支障はない。
【００６２】
包装箱のほぼ中央に苺パックＰを区画できる仕切体３００を備えているので、運搬時等に苺パックＰが相互に接触して中の苺が傷つくことを防止できる。
【００６３】
また、本実施例では仕切体３００の頂部が側壁１００，２００と本質的に同じ高さに設計されている。したがって、包装箱を積み重ねた場合には、この仕切体３００で積み重ねた上方の包装箱の底部を支持できるので、上方の包装箱によって下方の苺パックが押し潰されることを防止できる。
【００６４】
なお、収容対象である物品が振動や衝撃を受けても破損等が生じないものであるならば、切起し物品支持片９，９を起立させないことにより、従来の包装箱と同様、物品を底板１上に直接載置して収容することもできる。    
【００６５】
本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【００６６】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【００６７】
【図１】本発明に係る包装箱用構成シートの一実施例を示す平面視説明図。
【図２】図１に示す包装箱用構成シートを用いた包装箱の組み立て手順を説明する斜視図。
【図３】図１に示す包装箱用構成シートを用いた包装箱の組み立て手順を説明する斜視図。
【図４】図１に示す包装箱用構成シートを用いた包装箱の組み立て手順を説明する斜視図。
【図５】組み立て完了後の包装箱を示す斜視説明図。
【図６】苺パックを収容した包装箱の一部を断面して内部構造を表した側面視説明図。
【図７】特許文献１に記載の包装箱を示す斜視説明図。
【符号の説明】
【００６８】
１ 底板
２ 外方左右側壁板
３ 外方前後側壁板
４ 内方左右側壁板
５ 額縁板係合用差込片
６ 折返し片
７ 内方前後側壁板
８Ａ，８Ｂ  物品支持片
９ 切起し物品支持片
１０Ａ，１０Ｂ 仕切片
２１ 額縁板
２２ 頂部縁片
３１ 額縁板
３２ 通気孔
３３ 通気孔
７１ 切起し物品支持片用受部
７２ 通気孔
８１ 底板係合用差込片
９１ 側壁板係合用差込片
９２ 仕切片用受部
９３ 指掛け孔
９４ 切込部
１００，２００ 側壁
１０１，１０２ 係合部
１１１，１１１ 差込片用受部
１１２ 底部内面
３００ 仕切体
３１１ 差込片用受部
３１２ 切込部
４００ 開口部
５００ 底部
５０１ 両縁部
Ｓ 包装箱用構成シート
Ｐ 苺パック
ａ，ｂ，ｃ，ｄ，ｅ，ｆ，ｇ，ｈ，ｉ，ｊ，ｋ 折目
【図１】
2005170479.tif 000003
【図２】
2005170479.tif 000004
【図３】
2005170479.tif 000005
【図４】
2005170479.tif 000006
【図５】
2005170479.tif 000007
【図６】
2005170479.tif 000008
【図７】
2005170479.tif 000009